(57)【特許請求の範囲】
【請求項１】
筒形に周回するように巻かれた空芯コイルと、
前記空芯コイルの周回部分、すなわち空芯コイルの周回軌道が位置する筒形形状部分に交差するようにこの筒形形状部分を貫通して延び、回転自在な回転軸と、
前記空芯コイルの空芯部内に配置され、前記空芯コイルの筒形形状部分を貫通する前記回転軸に固定されたマグネットと
を備える、回転マグネット式発電装置。
【請求項２】
前記マグネットは、前記回転軸に直交する中心軸線を有する柱状磁石である、請求項１に記載の回転マグネット式発電装置。
【請求項３】
前記柱状磁石は、前記空芯コイルの空芯部内において、前記回転軸に直交する中心軸線上に位置し、前記回転軸を挟むように配置された第１柱状磁石と、第２柱状磁石とを含み、
前記第１および第２柱状磁石は、互いの吸引磁力によって吸引保持されている、請求項２に記載の回転マグネット式発電装置。
【請求項４】
前記マグネットは、前記空芯コイルの空芯部内に位置する球状磁石である、請求項１に記載の回転マグネット式発電装置。
【請求項５】
前記球状磁石は、前記空芯コイルの空芯部内において、前記回転軸に直交する中心軸線上に位置し、前記回転軸を挟むように配置された第１球状磁石と、第２球状磁石とを含み、
前記第１および第２球状磁石は、互いの吸引磁力によって吸引保持されている、請求項４に記載の回転マグネット式発電装置。
【請求項６】
前記回転軸を回転駆動する回転駆動部をさらに備え、
前記回転駆動部は、前記空芯コイルの外に位置する前記回転軸の部分に取り付けられ、前記回転軸と一体となって回転するピニオンギヤと、前記ピニオンギヤに噛み合うように配置され、スライド移動するラックギヤとを備える、請求項１〜５のいずれかに記載の回転マグネット式発電装置。
【請求項７】
前記空芯コイルと、前記回転軸と、前記マグネットと、前記ピニオンギヤと、前記ラックギヤとを収容するケースを備え、
前記回転駆動部は、その一端が前記ケースの外に露出し、他端が前記ラックギヤに当接する押しボタンを備える、請求項６に記載の回転マグネット式発電装置。
【請求項８】
前記回転駆動部は、前記ラックギヤを一方方向に付勢するばねを備える、請求項６または７に記載の回転マグネット式発電装置。
【請求項９】
前記空芯コイルは、第１のボビンに巻かれた第１空芯コイルと、第２のボビンに巻かれた第２空芯コイルとを含み、
前記第１ボビンと前記第２ボビンとは、前記回転軸を間に挟んだ状態で端面同士が当接している、請求項１〜８のいずれかに記載の回転マグネット式発電装置。
【発明の詳細な説明】
【技術分野】
【０００１】
この発明は、シンプルな構造の回転マグネット式発電装置に関するものである。
【背景技術】
【０００２】
操作部の操作によって発生した運動エネルギーを電磁誘導方式によって電気エネルギーに変換して発電する発電装置が知られている。このような発電装置は、例えば、トイレ室、浴室、キッチンなどの水回り設備において、電子機器を遠隔操作するリモコン装置に組み込まれている。
【０００３】
特開２０１８−７４５３７号公報（特許文献１）に開示されたリモコン装置は、押し操作に応じて機器を操作する操作ボタンと、上記押し操作に応じて押圧されることで電磁誘導を発生させ発電を行う発電部と、上記機器を遠隔操作するための信号を生成する電子部品を有する制御部と、上記操作ボタンの押し操作に応じて移動し上記発電部を押圧する伝達機構とを備える。伝達機構は、押し操作に応じて回転する回転カムと、回転カムの回転動作によって押圧されるリンクとを有し、操作ボタンを押す力が所定の値となるときに、回転カムとリンクとの移動方向が同一となるようにされている。操作ボタンの押し操作に伴う操作力がモータの回転軸に伝達されて、回転軸を回転させ、これにより、モータから交流の電力が発生する。
【０００４】
特開２０１２−８０７０２号公報（特許文献２）に開示された発電装置は、発電時に操作されるスイッチレバーと、被駆動部が駆動されることによって誘導起電力を発生させる発電機と、外力が印加されることにより弾性力を蓄積すると共に蓄積された弾性力を出力することにより被駆動部を駆動する発電用ばねと、発電用ばねに蓄積された弾性力の出力を許容するスライド部材およびピンホイールとを備えている。発電機は、被駆動部を回転させることによりコイルの内部で円筒形状の磁石を回転させ、これによりコイルを貫く磁束を変化させて誘導起電力を発生させる構成とされている。
【先行技術文献】
【特許文献】
【０００５】
【特許文献１】特開２０１８−７４５３７号公報
【特許文献２】特開２０１２−８０７０２号公報
【発明の概要】
【発明が解決しようとする課題】
【０００６】
特開２０１８−７４５３７号公報（特許文献１）および特開２０１２−８０７０２号公報（特許文献２）に開示された発電装置では、いずれも操作部材の操作力をコイル内に配置されたロータの回転運動に変換する機構がやや複雑であり、押し力がやや硬く感じる。
【０００７】
また、特開２０１８−７４５３７号公報（特許文献１）や特開２０１２−８０７０２号公報（特許文献２）に記載されたような複雑な構成の発電装置では、音の発生が避けられず、例えばトイレ内に設置される発電装置としてはあまり好ましくない。
【０００８】
本発明の目的は、シンプルな構造であって軽い押し力によって発電し、音の発生も少ない発電装置を提供することである。
【課題を解決するための手段】
【０００９】
本発明に従った回転マグネット式発電装置は、筒形に周回するように巻かれた空芯コイルと、空芯コイルの周回部分を貫通して延び、回転自在な回転軸と、空芯コイルの空芯部に配置され、回転軸に固定されたマグネットとを備える。
【００１０】
一つの実施形態では、マグネットは、上記回転軸に直交する中心軸線を有する柱状磁石である。柱状磁石は１個でも複数個でもよい。本明細書において例示的に記載した実施形態では、柱状磁石は、回転軸を挟むように配置された第１柱状磁石と、第２柱状磁石とを含む。これらの第１および第２柱状磁石は、互いの吸引磁力によって吸引保持されている。
【００１１】
他の実施形態では、マグネットは、球状磁石である。球状磁石の数に制約はないが、一つの実施形態では、球状磁石は、回転軸を挟むように配置された第１球状磁石と、第２球状磁石とを含み、第１および第２球状磁石は、互いの吸引磁力によって吸引保持されている。
【００１２】
回転マグネット式発電装置は、回転軸を回転駆動する回転駆動部をさらに備えていてもよい。一つの実施形態では、回転駆動部は、空芯コイルの外に位置する回転軸の部分に取り付けられ、回転軸と一体となって回転するピニオンギヤと、ピニオンギヤに噛み合うように配置され、スライド移動するラックギヤとを備える。この実施形態において、好ましくは、回転マグネット式発電装置は、上記空芯コイルと、上記回転軸と、上記マグネットと、上記ピニオンギヤと、上記ラックギヤとを収容するケースを備える。この場合、上記の回転駆動部は、その一端が前記ケースの外に露出し、他端が前記ラックギヤに当接する押しボタンを備える。好ましくは、回転駆動部は、ラックギヤを一方方向に付勢するばねを備える。
【００１３】
空芯コイルの数や形状に制約はない。一つの実施形態では、空芯コイルは、第１のボビンに巻かれた第１空芯コイルと、第２のボビンに巻かれた第２空芯コイルとを含む。この場合、第１ボビンと第２ボビンとは、上記回転軸を間に挟んだ状態で端面同士が当接している。
【発明の効果】
【００１４】
上記構成の本発明によれば、シンプルな構造の回転マグネット式発電装置を得ることができる。
【図面の簡単な説明】
【００１５】
【図１】本発明の一実施形態に係る回転マグネット式発電装置を示す図解図である。
【図２】本発明の他の実施形態に係る回転マグネット式発電装置を示す図解図である。
【図３】本発明のさらに他の実施形態に係る回転マグネット式発電装置を示す図解図である。
【発明を実施するための形態】
【００１６】
本発明に係る回転マグネット式発電装置は、例えばトイレ用のリモコンの電池レス発電装置として利用され得るものであるが、他の用途に使用することも可能である。
【００１７】
回転マグネット式発電装置は、基本的な構成として、筒形に周回するように巻かれた空芯コイルと、空芯コイルの周回部分を貫通して延び、回転自在な回転軸と、空芯コイルの空芯部に配置され、回転軸に固定されたマグネットとを備える。
【００１８】
図１は、本発明の一実施形態に係る回転マグネット式発電装置の図解図である。回転マグネット式発電装置１は、主要な構成部品を収容するケース２と、ケース内に配置された第１空芯コイル３と、第２空芯コイル４と、第１および第２空芯コイル３，４の周回部分を貫通して延び、回転自在な回転軸５と、第１および第２空芯コイル３，４の空芯部に配置され、回転軸５に固定された第１および第２柱状磁石７，８とを備える。
【００１９】
第１空芯コイル３は、両端フランジ付の円筒形の第１のボビン３ａの外周面上に巻かれている。第２空心コイル４は、両端フランジ付の円筒形の第２のボビン４ａの外周面上に巻かれている。第１ボビン３ａの下部フランジと第２ボビン４ａの上部フランジとはその面同士が当接するように設けられている。
【００２０】
回転軸５は、第１ボビン３ａの下部フランジと第２ボビン４ａの上部フランジとに挟まれて延びている。回転軸５を受け入れるために、第１ボビン３ａの下部フランジには下方開放の半円形溝部が設けられ、第２ボビン４ａの上部フランジには上方開放の半円形溝部が設けられている。回転軸５は、上下に対向する２つの半円形溝部によって形成された貫通穴内を回転自在に挿通している。
【００２１】
第１および第２ボビン３ａ、４ａはケース２に固定され、回転軸５はその両端がケース２に回転自在に支持されている。回転軸５は、空芯コイル３，４の周回部分を貫通して延びている。ここで「コイルの周回部分」とは、第１および第２ボビンに巻かれている空心コイル３，４の周回軌道が位置する筒形形状部分である。図１に示した実施形態のように第１空芯コイル３および第２空芯コイル４が離れて位置する場合、第１空芯コイル３と第２空芯コイル４との間に位置する領域も「コイルの周回部分」に含まれる。
【００２２】
コイルを巻くボビンの形状は円筒形に限られず、四角形等の角形であっても良い。また、空芯コイルの数は、２個に限られず、１個または３個以上であっても良い。
【００２３】
空芯コイル３，４の空芯部に配置されるマグネットとして、図示した実施形態では、２個の柱状磁石７，８が用いられている。２個の柱状磁石７，８は円柱形状の磁石であり、回転軸５を挟むように配置されている。柱状磁石７，８の中心軸線Ａは回転軸５の回転軸線Ｂに直交している。回転軸５には、空芯コイル３，４の空芯部内で回転軸５を取り囲む樹脂製の扁平円盤部６が固定されている。２個の柱状磁石７，８の底面部は扁平円盤部６上に位置するようにされており、２個の柱状磁石７，８は互いの吸引磁力によって吸引保持されている。磁石のＮ極およびＳ極の位置関係は、図１に示した通りである。
【００２４】
回転軸５が回転駆動されると、電磁誘導により空芯コイル３，４に電流が流れて発電する。図示を省略したが、空芯コイル３，４には発生した電流を取出す電流取出し部が接続されている。電流取出し部は、例えば、電波発信機を含む。
【００２５】
図１に示した回転マグネット式発電装置は、回転軸５を回転駆動する回転駆動部を備える。回転駆動部は、空芯コイル３，４の外に位置する回転軸５を挿通させているピニオンギヤ９と、ピニオンギヤ９に噛合うように配置され、スライド移動するラックギヤ１１とを含む。ピニオンギヤ９は、回転軸５に固定されて正転方向および逆転方向の両方向において回転軸５と一体となって回転するものであっても良いし、ワンウェイクラッチを介して回転軸５に取り付けられるものであっても良い。ワンウェイクラッチを介する場合には、ピニオンギヤ９は正転方向では回転軸５と一体となって回転するが、逆転方向では回転軸５に対してフリーな状態となる。
【００２６】
ピニオンギヤ９およびラックギヤ１１はケース２内に収容されている。ラックギヤ１１は、ケース２に対して直線的にスライド可能に設けられており、その一端部がケース２の外に露出して押しボタン１２を構成している。図示した実施形態では、ラックギヤ１１と押しボタン１２とを共通の部材で一体的に形成しているが、それらを別部材で構成するようにしても良い。
【００２７】
ラックギヤ１１の先端部とケース２との間に戻しばね１３が配置されている。また、ピニオンギヤ９と第１および第２ボビン３ａ，４ａとの間に位置する回転軸５の部分にスペーサ１０が配置されている。ピニオンギヤ９とケース２との間に調整ばね１４が配置され、ピニオンギヤ９を常にスペーサ１０側に向かって付勢している。
【００２８】
押しボタン１２を図において矢印Ｄの方向に押し込むと、ラックギヤ１１が矢印Ｄ方向に移動し、それに伴ってピニオンギヤ９が回転軸５と一体となって回転する。この回転軸５の回転に伴い、２個の柱状磁石７，８が回転軸線Ｂの回りを回転し、電磁誘導により空芯コイル３，４に電流が流れて発電する。
【００２９】
押しボタン１２への押し力を解放すると、戻しばね１３の作用によりラックギヤ１１は矢印Ｅの方向に移動し、押しボタン１２も元の位置に復帰する。ラックギヤ１１の逆方向への戻り動作によってピニオンギヤ９も逆方向に回転する。ピニオンギヤ９と回転軸５との間にワンウェイクラッチを介在させれば、ピニオンギヤ９の逆方向の回転は回転軸５に伝達されない。これにより、押しボタンを離したときには発電しない構成としている。
【００３０】
図示した実施形態では、回転駆動部をピニオンギヤ９とラックギヤ１１とによって構成したが、他の構造物を採用し得る。例えば、回転軸５をハンドル等を介して直接回転させるような構造であっても良い。
【００３１】
回転軸５に取り付けられる柱状磁石は、円柱形状に限られるものではなく、断面形状が角形であっても良い。また、柱状磁石の数は、１個でもよいし、３個以上であっても良い。さらに、２個の柱状磁石を用いる場合に、２個の柱状磁石の形状および大きさが同じであっても良いし、異なったものであっても良い。
【００３２】
図２は、本発明の他の実施形態に係る回転マグネット式発電装置の図解図である。図１に示した実施形態と同じ要素に関しては、同一の参照番号を付している。
【００３３】
図２に示した実施形態では、空芯コイル３，４の空芯部内において回転軸５に固定されるマグネットとして、同一の大きさの２個の球状磁石２２，２３が設けられている。回転軸５には樹脂製の球体受け部２１が設けられており、２個の球状磁石２２，２３は球体受け部２１を挟むように配置され、互いの吸引磁力によって吸引保持されている。２個の球状磁石の中心を結ぶ線Ａは、回転軸５の回転軸線Ｂに直交している。
【００３４】
図３に示した実施形態では、空芯コイル３，４の空芯部内において回転軸５に固定されるマグネットとして、異なった大きさの２個の球状磁石２４，２５が設けられている。回転軸５には樹脂製の球体受け部２１が設けられており、異なった大きさ２個の球状磁石２４，２５は球体受け部２１を挟むように配置され、互いの吸引磁力によって吸引保持されている。この実施形態においても、２個の球状磁石２４，２５の中心を結ぶ線Ａは、回転軸５の回転軸線Ｂに直交している。
【００３５】
図２および図３に示す実施形態では、２個の球状磁石を設けていたが、球状磁石の数に制約はない。
【００３６】
図面を参照して本発明の実施形態を説明したが、本発明は、図示した実施形態に限定されるものではなく、本発明と同一の範囲または均等な範囲内において種々の変更や追加が可能である。
【産業上の利用可能性】
【００３７】
本発明は、シンプルな構造の回転マグネット式発電装置として有利に利用され得る。
【符号の説明】
【００３８】
１  回転マグネット式発電装置、２  ケース、３  第１空芯コイル、３ａ  第１ボビン、４  第２空芯コイル、４ａ  第２ボビン、５  回転軸、６  扁平円盤部、７  第１柱状磁石、８  第２柱状磁石、９  ピニオンギヤ、１０  スペーサ、１１  ラックギヤ、１２  押しボタン、１３  戻しばね、１４  調整ばね、２０  回転マグネット式発電装置、２１  球体受け部、２２，２３  球状磁石、３０  回転マグネット式回転装置、２４，２５  球状磁石、Ａ  中心軸線、Ｂ  回転軸線、Ｄ  押し方向、Ｅ  戻し方向。
【要約】
【課題】シンプルな構造であって軽い押し力によって発電し、音の発生も少ない発電装置を提供する。
【解決手段】回転マグネット式発電装置（１）は、筒形に周回するように巻かれた空芯コイル（３，４）と、空芯コイルの周回部分を貫通して延び、回転自在な回転軸（５）と、  空芯コイルの空芯部に配置され、回転軸に固定されたマグネット（７，８）とを備える。
【選択図】図１【図１】
0006647672.tif 000002
【図２】
0006647672.tif 000003
【図３】
0006647672.tif 000004